(57)【要約】【課題】色再現性に優れた液晶表示装置を構成可能なカラーフィルター及び発光装置の組合せの選択方法を提供する。【解決手段】青色画素及び緑色画素を含むカラーフィルター候補を準備する工程と、光源、Ｍｎ４＋で付活された赤色蛍光体及び緑色蛍光体を含む発光装置候補を準備する工程と、発光装置候補を発光させてカラーフィルター候補を透過させた光のうち、青色画素を透過した４８５ｎｍ以下の光のエネルギー及び緑色画素を透過した４８５ｎｍ以下の光のエネルギーを測定する工程と、青色画素を透過した４８５ｎｍ以下の光のエネルギーに対する緑色画素を透過した４８５ｎｍ以下の光のエネルギーの比率（％）が３．０％以下となるカラーフィルター候補及び発光装置候補の組合せを選択する工程と、を含むカラーフィルター及び発光装置の組合せの選択方法である。【選択図】図２
2015052648.tif 000002
【特許請求の範囲】
【請求項１】
画像表示装置を構成するカラーフィルター及び発光装置の組合せの選択方法であり、
少なくとも青色画素及び緑色画素を含むカラーフィルター候補を準備する工程と、
光源、緑色蛍光体及び４価のマンガンイオンで付活された赤色蛍光体を含む発光装置候補を準備する工程と、
発光装置候補を発光させてカラーフィルター候補を透過させた光のうち、青色画素を透過した４８５ｎｍ以下の光のエネルギー及び緑色画素を透過した４８５ｎｍ以下の光のエネルギーを測定する工程と、
青色画素を透過した４８５ｎｍ以下の光のエネルギーに対する緑色画素を透過した４８５ｎｍ以下の光のエネルギーの比率（％）が３．０％以下となるカラーフィルター候補及び発光装置候補の組合せを選択する工程と、を含む選択方法。
【請求項２】
赤色蛍光体が、励起波長が４００ｎｍ〜６００ｎｍであり、極大発光波長が６１０ｎｍ〜６７０ｎｍであり、発光スペクトルの半値幅が３０ｎｍ以下である請求項１に記載の選択方法。
【請求項３】
前記緑色蛍光体は、組成式がＭ１１８ＭｇＳｉ４Ｏ１６Ｘ１１：Ｅｕ（Ｍ１１＝Ｃａ，Ｓｒ，Ｂａ，Ｚｎ；Ｘ１１＝Ｆ，Ｃｌ，Ｂｒ，Ｉ）で示されるＥｕ付活クロロシリケート蛍光体、Ｍ１２２ＳｉＯ４：Ｅｕ（Ｍ１２＝Ｍｇ，Ｃａ，Ｓｒ，Ｂａ，Ｚｎ）で示されるＥｕ付活シリケート蛍光体、Ｓｉ６−ｚＡｌｚＯｚＮ８−ｚ：Ｅｕ（０＜ｚ<４．２）で示されるＥｕ付活βサイアロン蛍光体及びＭ１３Ｇａ２Ｓ４：Ｅｕ（Ｍ１３＝Ｍｇ，Ｃａ，Ｓｒ，Ｂａ）で示されるＥｕ付活チオガレート蛍光体からなる群より選択された少なくとも１種を含む請求項１又は２に記載の選択方法。
【請求項４】
前記赤色蛍光体は、Ｍｎ４＋付活Ｍｇフルオロジャーマネート蛍光体（２．５ＭｇＯ・ＭｇＦ２：Ｍｎ４＋）及びＭ１２Ｍ２Ｆ６：Ｍｎ４＋（Ｍ１＝Ｌｉ,Ｎａ，Ｋ，Ｒｂ，Ｃｓ；Ｍ２＝Ｓｉ、Ｇｅ、Ｓｎ，Ｔｉ，Ｚｒ）からなる群より選択された少なくとも１種を含む請求項１〜３のいずれか１項に記載の選択方法。
【請求項５】
緑色画素が、有機顔料としてＣ．Ｉ．ピグメントナンバーＰＧ３６及びＣ．Ｉ．ピグメントナンバーＰＹ１５０を含み、緑色画素に含まれる有機顔料の総質量中のＣ．Ｉ．ピグメントナンバーＰＧ３６の含有率が２０質量％以上７５質量％以下である請求項１〜４のいずれか１項に記載の選択方法。
【請求項６】
緑色画素が、有機顔料としてＣ．Ｉ．ピグメントナンバーＰＧ３６及びＣ．Ｉ．ピグメントナンバーＰＹ１３８を含み、緑色画素に含まれる有機顔料の総質量中のＣ．Ｉ．ピグメントナンバーＰＧ３６の含有率が２０質量％以上７０質量％以下である請求項１〜４のいずれか１項に記載の選択方法。
【請求項７】
青色画素が、有機顔料としてＣ．Ｉ．ピグメントナンバーＰＢ１５：６及びＣ．Ｉ．ピグメントナンバーＰＶ２３を含み、青色画素に含まれる有機顔料の総質量中のＣ．Ｉ．ピグメントナンバーＰＶ２３の含有率が１質量％以上２５質量％以下である請求項１〜６のいずれか１項に記載の選択方法。
【請求項８】
光源の極大発光波長が、４６０ｎｍ以下である請求項１〜７のいずれか１項に記載の選択方法。
【請求項９】
請求項１〜請求項８のいずれか１項に記載の選択方法によって選択されるカラーフィルター及び発光装置を含む画像表示装置用モジュール。
【請求項１０】
請求項１〜請求項８のいずれか１項に記載の選択方法によって選択されるカラーフィルター及び発光装置を備える画像表示装置。
【請求項１１】
少なくとも青色画素及び緑色画素を含むカラーフィルターを準備する工程と、
光源、緑色蛍光体及び４価のマンガンイオンで付活された赤色蛍光体を含み、該カラーフィルターの青色画素を透過させた４８５ｎｍ以下の光のエネルギーに対する緑色画素を透過させた４８５ｎｍ以下の光のエネルギーの比率（％）が３．０％以下となる光を発する発光装置を準備する工程と、
該カラーフィルター、該発光装置及び光透過制御部材を用いて画像表示装置を構成する工程と、
を含む画像表示装置の製造方法。
【発明の詳細な説明】
【技術分野】
【０００１】
本発明は、カラーフィルター及び発光装置の組合せの選択方法並びに画像表示装置の製造方法に関する。
【背景技術】
【０００２】
液晶表示装置は、数多くの用途で急速に普及してきており、年々製造コスト面や、表示画質面での競争が激化してきている。あらゆる液晶表示装置において高コントラスト化、高速応答性、高色再現化、高輝度化などが求められている。中でも高色再現化や高輝度化については、液晶表示装置に用いるバックライト光源やカラーフィルターに依存する特性であり、従来の液晶表示装置では高色再現性と高輝度化とを高いレベルで両立することが困難であった。
【０００３】
従来のバックライト光源である冷陰極蛍光管（ＣＣＦＬ：Cold Cathode Fluorescent Lamp）では、色再現性に関して、蛍光体のサブピークにより色純度低下が起こるという問題があった。この問題に対し、蛍光体に高純度なものを用いることでサブピークを抑え、色純度低下を改善することは可能であるものの、発光効率が悪化するという問題が生じ、輝度を維持しながら高色再現化を行うことは困難であった。
【０００４】
また、カラーフィルターに関しても、赤色、緑色及び青色の各画素の分光透過スペクトルのオーバーラップによる色純度低下の問題があった。この問題に対し、赤色、緑色及び青色の各画素の分光透過スペクトルの半値幅を狭め、各色のオーバーラップを低減することで、色純度を改善する方法が知られている。しかしこの場合、従来のバックライト光源では、透過光の減少に起因して輝度が低下するため、輝度を維持しながら高色再現化を行うことは困難であった。
【０００５】
上記に関連して、半導体発光素子と、緑色蛍光体と、発光スペクトルの半値幅が狭い赤色のＭｎ４＋付活蛍光体とを備える半導体発光装置が知られており、従来より深い赤色を表示するディスプレイを実現可能とされている（例えば、特許文献１参照）。また青色ＬＥＤと赤色発光蛍光体及び緑色発光蛍光体とを組み合わせた白色ＬＥＤ装置を備えるバックライトとカラーフィルターとを特定のパラメータで組み合わせる手法が知られており、輝度を高く保ちながら色再現性に優れる液晶表示装置が実現可能とされている（例えば、特許文献２参照）。
【先行技術文献】
【特許文献】
【０００６】
【特許文献１】特開２０１０−９３１３２号公報
【特許文献２】特開２００９−７６８３６号公報
【発明の概要】
【発明が解決しようとする課題】
【０００７】
しかしながら、特許文献１に記載の半導体発光装置では、組み合わせるカラーフィルターによっては、充分な輝度と色再現域が得られない場合があった。また特許文献２に記載の液晶表示装置よりも広い色再現範囲を達成することが求められている。
本発明は、以上のような事情の下になされ、色再現性に優れた画像表示装置を構成可能なカラーフィルター及び発光装置の組合せを効率的に選択することが可能なカラーフィルター及び発光装置の組合せの選択方法、並びに画像表示装置の製造方法を提供することを目的とする。
【課題を解決するための手段】
【０００８】
前記課題を解決するための具体的手段は以下の通りである。
本発明は、画像表示装置を構成するカラーフィルター及び発光装置の組合せの選択方法であり、少なくとも青色画素及び緑色画素を含むカラーフィルター候補を準備する工程と、光源、緑色蛍光体及び４価のマンガンイオンで付活された赤色蛍光体を含む発光装置候補を準備する工程と、発光装置候補を発光させてカラーフィルター候補を透過させた光のうち、青色画素を透過した４８５ｎｍ以下の光のエネルギー及び緑色画素を透過した４８５ｎｍ以下の光のエネルギーを測定する工程と、青色画素を透過した４８５ｎｍ以下の光のエネルギーに対する緑色画素を透過した４８５ｎｍ以下の光のエネルギーの比率（％）が３．０％以下となるカラーフィルター候補及び発光装置候補の組合せを選択する工程と、を含む選択方法である。
【０００９】
また本発明は、前記選択方法によって選択されるカラーフィルター及び発光装置を含む画像表示装置用モジュールである。
また本発明は、前記選択方法によって選択されるカラーフィルター及び発光装置を備える画像表示装置である。
【００１０】
また本発明は、少なくとも青色画素及び緑色画素を含むカラーフィルターを準備する工程と、光源、４価のマンガンイオンで付活された赤色蛍光体及び緑色蛍光体を含み、該カラーフィルターの青色画素を透過させた４８５ｎｍ以下の光のエネルギーに対する緑色画素を透過させた４８５ｎｍ以下の光のエネルギーの比率（％）が３．０％以下となる光を発する発光装置を準備する工程と、該カラーフィルター、該発光装置及び光透過制御部材を用いて画像表示装置を構成する工程と、を含む画像表示装置の製造方法である。
【発明の効果】
【００１１】
本発明によれば、色再現性に優れた画像表示装置を構成可能なカラーフィルター及び発光装置の組合せを効率的に選択することが可能なカラーフィルター及び発光装置の組合せの選択方法、並びに画像表示装置の製造方法を提供することができる。
【図面の簡単な説明】
【００１２】
【図１】本発明に係る発光装置の一例を示す概略断面図である。
【図２】カラーフィルターの分光透過スペクトルと、発光装置の発光スペクトルの一例を示す図である。
【図３】カラーフィルターの青色画素からの透過光スペクトルのうち、４８５ｎｍ以下の範囲についての一例を示す図である。
【図４】カラーフィルターの緑色画素からの透過光スペクトルのうち、４８５ｎｍ以下の範囲についての一例を示す図である。
【発明を実施するための形態】
【００１３】
以下、本発明に係る実施の形態について詳細に説明する。ただし、以下に示す実施の形態は、本発明の技術思想を具体化するための、カラーフィルター及び発光装置の組合せの選択方法等を例示するものであって、本発明は、カラーフィルター及び発光装置の組合せの選択方法等を以下のものに特定するものではない。
なお、色名と色度座標との関係、光の波長範囲と単色光の色名との関係等は、ＪＩＳ  Ｚ８１１０に従う。具体的には、３８０ｎｍ〜４５５ｎｍが青紫色、４５５ｎｍ〜４８５ｎｍが青色、４８５ｎｍ〜４９５ｎｍが青緑色、４９５ｎｍ〜５４８ｎｍが緑色、５４８ｎｍ〜５７３ｎｍが黄緑色、５７３ｎｍ〜５８４ｎｍが黄色、５８４ｎｍ〜６１０ｎｍが黄赤色、６１０ｎｍ〜７８０ｎｍが赤色である。
また、光のエネルギーとは、横軸に波長、縦軸にエネルギー密度をとったスペクトル図において、所定の波長範囲についてのエネルギー密度の積分値を意味する。
【００１４】
本明細書において「工程」との語は、独立した工程だけではなく、他の工程と明確に区別できない場合であってもその工程の所期の目的が達成されれば、本用語に含まれる。また「〜」を用いて示された数値範囲は、「〜」の前後に記載される数値をそれぞれ最小値及び最大値として含む範囲を示す。さらに組成物中の各成分の含有量は、組成物中に各成分に該当する物質が複数存在する場合、特に断らない限り、組成物中に存在する当該複数の物質の合計量を意味する。
【００１５】
＜カラーフィルター及び発光装置の組合せの選択方法＞
本発明の選択方法は、画像表示装置を構成するカラーフィルター及び発光装置の組合せを選択する方法であり、少なくとも青色画素及び緑色画素を含むカラーフィルター候補を準備する工程（以下「第一の工程」ともいう）と、光源、緑色蛍光体及び４価のマンガンイオンで付活された赤色蛍光体を含む発光装置候補を準備する工程（以下「第二の工程」ともいう）と、発光装置候補を発光させてカラーフィルター候補を透過させた光のうち、青色画素を透過した４８５ｎｍ以下の光のエネルギー及び緑色画素を透過した４８５ｎｍ以下の光のエネルギーを測定する工程（以下「第三の工程」ともいう）と、青色画素を透過した４８５ｎｍ以下の光のエネルギーに対する緑色画素を透過した４８５ｎｍ以下の光のエネルギーの比率（％）が３．０％以下となるカラーフィルター候補及び発光装置候補の組合せを選択する工程（以下「第四の工程」ともいう）と、を含む。
【００１６】
カラーフィルターの青色画素を透過した４８５ｎｍ以下の光（青色光）のエネルギーに対する緑色画素を透過した青色光のエネルギーの比率が３．０％以下となるカラーフィルター及び発光装置の組合せを用いることで、輝度と色再現性に優れる画像表示装置を構成することができる。
【００１７】
本発明においては、発光装置に含まれる赤色蛍光体が４価のマンガンイオン（Ｍｎ４＋）で付活されている。このような赤色蛍光体は、赤色光の発光効率が高く、半値幅が狭いシャープな発光スペクトルを示す。このような発光装置を用いて画像表示装置を構成すると、赤色光と緑色光の発光スペクトルの重なりが小さくなるため、色純度が高い赤色表示と緑色表示が得られる画像表示装置とすることができる。さらに、組み合わせるカラーフィルターとして、緑色画素を透過する青色光のエネルギーが、青色画素を透過する青色光のエネルギーに対して特定の範囲以下となるようなカラーフィルターを選択することで、青色光と緑色光の発光スペクトルの重なりが小さくなるため、画像表示装置における輝度の低下を抑制しつつ、色再現範囲を拡大することができるという知見に基づいて本発明は完成されたものである。
すなわち、本発明においては、特定の発光特性を有する赤色蛍光体を含む発光装置及びカラーフィルターの組合せが、緑色画素を透過する青色光のエネルギーが小さくなるように選択される。これにより高い輝度と優れた色再現性が達成できる。
【００１８】
本発明の選択方法で選択される発光装置及びカラーフィルターを用いて構成される画像表示装置は、ＣＩＥ１９３１色度図上において、色再現範囲が、ＮＴＳＣ比９０％超であることが好ましく、９３％以上であることがより好ましい。
なお、ＮＴＳＣ比とは、アメリカテレビジョン標準化委員会（National Television Standards Committee）によりＣＩＥ１９３１ ＸＹＺ表色系の色度（ｘ，ｙ）にて定められた標準方式の３原色、赤（０．６７，０．３３）、緑（０．２１，０．７１）、青（０．１４，０．０８）を結ぶ三角形を基準として、画像表示装置の赤・緑・青単色の色度を結んで得られる三角形を比較した面積比のことである。この面積比が即ち色再
現範囲として定義され、その比率が高いほど色再現性が高いと判定される。
【００１９】
本発明の選択方法で選択される発光装置及びカラーフィルターを用いて構成される画像表示装置は、ＣＩＥ１９３１色度図上において、色再現範囲が、ＡｄｏｂｅＲＧＢ比９５％超であることが好ましく、９７％以上であることがより好ましい。
なお、ＡｄｏｂｅＲＧＢ比とは、アドビシステム社（Ａｄｏｂｅ  Ｓｙｓｔｅｍ  Ｉｎｃｏｒｐｏｒａｔｅｄ）によりＣＩＥ１９３１ ＸＹＺ表色系の色度（ｘ，ｙ）にて定められた標準方式の３原色、赤（０．６４００，０．３３００）、緑（０．２１００，０．７１００）、青（０．１５００，０．０６００）を結ぶ三角形を基準として、画像表示装置の赤・緑・青単色の色度を結んで得られる三角形を比較した面積比のことである。この面積比が即ち色再現範囲として定義され、その比率が高いほど色再現性が高いと判定される。
【００２０】
本発明の選択方法で選択される発光装置及びカラーフィルターを用いて構成される画像表示装置は、ＣＩＥ１９３１色度図上において、色再現範囲が、ｓＲＧＢ比９５％超であることが好ましく、９９％以上であることがより好ましい。
なお、ｓＲＧＢ比とは、国際電気標準会議（Ｉｎｔｅｒｎａｔｉｏｎａｌ  Ｅｌｅｃｔｒｏｔｅｃｈｎｉｃａｌ  Ｃｏｍｍｉｓｓｉｏｎ）によりＣＩＥ１９３１ ＸＹＺ表色系の色度（ｘ，ｙ）にて定められた標準方式の３原色、赤（０．６４００，０．３３００）、緑（０．３０００，０．６０００）、青（０．１５００，０．０６００）を結ぶ三角形を基準として、画像表示装置の赤・緑・青単色の色度を結んで得られる三角形を比較した面積比のことである。この面積比が即ち色再現範囲として定義され、その比率が高いほど色再現性が高いと判定される。
【００２１】
（第一の工程）
第一の工程では、少なくとも青色画素及び緑色画素を含むカラーフィルター候補を準備する。カラーフィルター候補は、所望の分光透過特性を有するカラーフィルターを公知の方法を用いて製造して準備しても、所望の分光透過特性等を考慮して市販のカラーフィルターから適宜選択して準備してもよい。
【００２２】
カラーフィルター候補となるカラーフィルターの構成は従来公知の構成から適宜選択することができる。カラーフィルターの構成としては、例えば、光透過性の基板上に、画素を構成する着色層が配置されたものを挙げることができる。
【００２３】
カラーフィルターに用いられる基板は、可視光に対してある程度の透過率を有するものが好ましく、より好ましくは８０％以上の透過率を有するものがよい。一般に、液晶表示装置に用いられているものでよく、ＰＥＴ等のプラスチック基板、ガラス基板などが挙げられるが、通常はガラス基板を用いる。基板上には遮光パターンを形成してもよい。遮光パターンとしては、あらかじめ基板上にクロム等の金属薄膜や遮光性樹脂によるパターンを公知の方法で形成したものを用いればよい。
【００２４】
基板上への画素の作製方法は、公知のインクジェット法、印刷法、フォトレジスト法、エッチング法など何れの方法でも構わない。しかし、高精細、分光特性の制御性及び再現性等を考慮すると、フォトレジスト法が好ましい。フォトレジスト法は、光透過性の樹脂中に顔料を、光開始剤、重合性モノマーと共に適当な溶剤に分散させた着色組成物を透明基板上に塗布製膜して着色層を形成し、この着色層をパターン露光し、現像することで、１色の画素を形成し、これら工程を各色毎に繰り返し行って、カラーフィルターを作製する方法である。
【００２５】
カラーフィルターの画素を構成する着色層をフォトリソ法により形成する場合、例えば、以下の方法に従う。着色剤となる顔料を透明な樹脂中に分散させた後、光開始剤、重合性モノマーと共に適当な溶剤と混合させる。着色剤となる顔料と透明樹脂を分散させる方法としてはミルベース、３本ロール、ジェットミル等様々な方法があるが、特にこれらに限定されるものではない。
【００２６】
カラーフィルターの着色層を形成する着色組成物に用いることのできる有機顔料の具体例を、以下にカラーインデックス番号で示す。赤色顔料としては、Ｃ．Ｉ． Ｐｉｇｍｅｎｔ Ｒｅｄ（ＰＲ） ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、２７２、２７９等が挙げられる。
【００２７】
黄色顔料としては、Ｃ．Ｉ． Ｐｉｇｍｅｎｔ Ｙｅｌｌｏｗ（ＰＹ） １５０、１３８の他に、ＰＹ１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３９、１４４、１４６、１４７、１４８、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００２８】
橙色顔料としてはＣ．Ｉ． Ｐｉｇｍｅｎｔ Ｏｒａｎｇｅ ３６、４３、５１、５５、５９、６１、７１、７３等が挙げられる。
【００２９】
緑色顔料としては、Ｃ．Ｉ． Ｐｉｇｍｅｎｔ Ｇｒｅｅｎ（ＰＧ） ３６の他にＰＧ ７、１０、３７等が挙げられる。
【００３０】
青色顔料としては、Ｃ．Ｉ． Ｐｉｇｍｅｎｔ Ｂｌｕｅ（ＰＢ）１５、１５：１、１５：２、１５：３、１５：４、１５：６、１６、２２、６０、６４、８０等が挙げられる。
【００３１】
紫色顔料としては、Ｃ．Ｉ． Ｐｉｇｍｅｎｔ Ｖｉｏｌｅｔ（ＰＶ） １、１９、２３、２７、２９、３０、３２、３７、４０、４２、５０等が挙げられる。
【００３２】
上記の有機顔料は、目的とする着色層の構成等に応じて１種を単独で用いても２種以上を組み合わせて用いてもよい。
【００３３】
また、上記有機顔料と組み合わせて、彩度と明度のバランスを取りつつ良好な塗布性、感度、現像性等を確保するために、無機顔料を組み合わせて用いることも可能である。無機顔料としては、黄色鉛、亜鉛黄、べんがら（赤色酸化鉄（III））、カドミウム赤、群青、紺青、酸化クロム緑、コバルト緑等の金属酸化物粉、金属硫化物粉、金属粉等が挙げられる。さらに、調色のため、耐熱性が低下しない範囲内で染料を含有してもよい。
【００３４】
着色組成物に用いる樹脂は、可視光領域の４００〜７００ｎｍの全波長領域において透過率が好ましくは８０％以上、より好ましくは９５％以上の樹脂である。樹脂には、熱可塑性樹脂、熱硬化性樹脂、及び感光性樹脂が含まれる。透明樹脂には、必要に応じて、その前駆体である、放射線照射により硬化して透明樹脂を生成するモノマー若しくはオリゴマーを単独で、又は２種以上混合して用いることができる。
【００３５】
樹脂、光開始剤、重合性モノマー、これらを用いる画素の形成方法等の詳細については、例えば、特開２００９−７６８３６号公報の段落番号０１０２〜０１１９の記載を参照することができる。
【００３６】
本発明の選択方法の選択対象となるカラーフィルターは、少なくとも青色画素と緑色画素とを含むが、更に赤色画素を含むことが好ましい。
カラーフィルターの緑色画素は、カラーフィルターと組合せて選択される発光装置候補の選択範囲を広くする等の観点から、有機顔料として、Ｃ．Ｉ．ピグメントナンバーＰＧ３６及びＣ．Ｉ．ピグメントナンバーＰＹ１５０を含み、緑色画素に含まれる有機顔料の総質量中のおけるＣ．Ｉ．ピグメントナンバーＰＧ３６の含有率が２０質量％以上７５質量％以下であること好ましく、５０質量％以上７５質量％以下であることがより好ましい。
【００３７】
緑色画素がこのような顔料の組み合わせを含む場合、ＰＧ３６の含有率が７５質量％以下であると、分光透過スペクトルの半値幅が狭くなりすぎず、充分な色再現範囲が得られると共に白表示時に優れた輝度を達成することができる。また、ＰＧ３６の含有率が２０質量％以上であると、分光透過スペクトルの半値幅が広くなりすぎず、高い刺激値Ｙ及び輝度が得られると共に、充分な色再現範囲が得られる傾向がある。また、透過範囲を狭くすることで色純度がより向上することから、より好ましくはＰＧ３６の含有率が５０質量％以上７５質量％以下である。
【００３８】
また、同様の観点から、カラーフィルターの緑色画素は、有機顔料としてＣ．Ｉ．ピグメントナンバーＰＧ３６及びＣ．Ｉ．ピグメントナンバーＰＹ１３８を含み、緑色画素に含まれる全有機顔料の総質量中におけるＣ．Ｉ．ピグメントナンバーＰＧ３６の含有率が２０質量％以上７０質量％以下であることが好ましく、４５質量％以上７０質量％以下であることがより好ましい。
【００３９】
緑色画素がこのような顔料の組み合わせを含む場合、ＰＧ３６の含有率が７０質量％以下であると、分光透過スペクトルの半値幅が狭くなりすぎず、充分な色再現範囲が得られると共に白表示時に優れた輝度を達成することができる。また、ＰＧ３６の含有率が２０質量％以上であると、分光透過スペクトルの半値幅が広くなりすぎず、高い刺激値Ｙ及び輝度が得られると共に、充分な色再現範囲が得られる傾向がある。また、透過範囲を狭くすることで色純度がより向上することから、より好ましくはＰＧ３６の含有率が４５質量％以上７０質量％以下である。
【００４０】
カラーフィルターの青色画素については、青の色再現性を広げるため分光透過スペクトルを短波長へシフトさせる手法を用いてもよい。短波長へ分光透過スペクトルをシフトさせる手法の１つとして青色画素中のＣ．Ｉ．ピグメントナンバーＰＶ２３の含有率を増やす手法がある。青色画素中のＰＶ２３の含有率を適宜調整することで、分光透過スペクトルの半値幅が狭くなりすぎず、充分な色再現範囲が得られると共に白表示時に優れた輝度を達成することができる。
【００４１】
カラーフィルターの青色画素は、有機顔料としてＣ．Ｉ．ピグメントナンバーＰＢ１５：６及びＣ．Ｉ．ピグメントナンバーＰＶ２３を含み、青色画素に含まれる有機顔料の総質量中のＣ．Ｉ．ピグメントナンバーＰＶ２３の含有率が１質量％以上２５質量％以下であることが好ましく、２質量％以上２０質量％以下であることがより好ましい。
【００４２】
カラーフィルターは赤色画素を更に含むことが好ましい。カラーフィルターの赤色画素について、赤の色再現性を広げるため分光透過スペクトルを長波長へシフトさせる手法を用いてもよい。長波長へ分光透過スペクトルをシフトさせる手法の１つとして赤色画素中のＣ．Ｉ．ピグメントナンバーＰＲ１７７の含有率を増やす手法がある。赤色画素中のＰＲ１７７の含有率を適宜調整することで、分光透過スペクトルの半値幅が狭くなりすぎず、充分な色再現範囲が得られると共に白表示時に優れた輝度を達成することができる。
【００４３】
カラーフィルターの赤色画素は、有機顔料としてＣ．Ｉ．ピグメントナンバーＰＲ２５４及びＣ．Ｉ．ピグメントナンバーＰＲ１７７を含み、赤色画素に含まれる有機顔料の総質量中のＣ．Ｉ．ピグメントナンバーＰＲ１７７の含有率が２質量％以上３０質量％以下であることが好ましく、５質量％以上２５質量％以下であることがより好ましい。
【００４４】
（第二の工程）
第二の工程では、光源、緑色蛍光体及び４価のマンガンイオンで付活された赤色蛍光体を含む発光装置候補を準備する。発光装置候補は、所望の発光特性を有する発光装置を公知の方法を用いて製造して準備しても、所望の発光特性等を考慮して市販の発光装置から適宜選択して準備してもよい。
【００４５】
発光装置候補となる発光装置の構成は、通常用いられる構成から適宜選択することができる。発光装置の構成としては、例えば、光源となる発光素子を、赤色蛍光体及び緑色蛍光体を含有する封止樹脂で封止してなる構成を挙げることができる。
発光装置の形式は特に制限されず、通常用いられる形式から適宜選択することができる。発光装置の形式としては、砲弾型、表面実装型等を挙げることができる。一般に砲弾型とは、外面を構成する封止樹脂の形状を砲弾型に形成したものを指す。また表面実装型とは、凹状の収納部内に光源となる発光素子及び封止樹脂を充填して形成されたものを示す。さらに発光装置の形式としては、平板状の実装基板上に光源となる発光素子を実装し、その発光素子を覆うように封止樹脂をレンズ状等に形成した発光装置等も挙げられる。
【００４６】
以下、本発明に係る実施の形態に係る発光装置の一例を図面に基づいて説明する。図１は、本発明に係る発光装置の一例を示す概略断面図である。この発光装置は、表面実装型発光装置の一例である。
発光装置１００は、可視光の短波長側（例えば３８０ｎｍ〜４８５ｎｍ）の光を発する窒化ガリウム系化合物半導体の発光素子（光源）１０と、発光素子１０を載置する成形体４０と、を有する。成形体４０は第１のリード２０と第２のリード３０とを有しており、熱可塑性樹脂又は熱硬化性樹脂により一体成形されている。成形体４０は底面と側面を持つ凹部を形成しており、凹部の底面に発光素子１０が載置されている。発光素子１０は一対の正負の電極を有しており、その一対の正負の電極は第１のリード２０及び第２のリード３０とワイヤ６０を介して電気的に接続されている。発光素子１０は封止部材５０により封止されている。封止部材５０にはエポキシ樹脂やシリコーン樹脂、エポキシ変性シリコーン樹脂、変成シリコーン樹脂等の熱硬化性樹脂を用いることが好ましい。封止部材５０は発光素子１０からの光を波長変換する赤色及び緑色の蛍光体７０を含有している。
【００４７】
光源は、極大発光波長（発光ピーク波長）が４８５ｎｍ以下であることが好ましく、４８０ｎｍ以下であることがより好ましく、４６０ｎｍ以下であることが更に好ましい。極大発光波長の下限値は特に制限されないが、４００ｎｍ以上であることが好ましく、４４０ｎｍ以上であることがより好ましい。これにより、赤色蛍光体及び緑色蛍光体を効率よく励起し、可視光を有効活用することができる。また当該波長範囲の光源を用いることにより、発光強度が高い発光装置を提供することができる。
【００４８】
光源には半導体発光素子を用いることが好ましい。光源に半導体発光素子を用いることによって、高効率で入力に対する出力のリニアリティが高く、機械的衝撃にも強い安定した発光装置を得ることができる。
半導体発光素子は、可視光の短波長領域の光を発するものを使用することができる。例えば、青色、緑色の半導体発光素子としては、窒化物系半導体（ＩｎＸＡｌＹＧａ１−Ｘ−ＹＮ、０≦Ｘ、０≦Ｙ、Ｘ＋Ｙ≦１）を用いたものを用いることができる。
【００４９】
赤色蛍光体としては、４価のマンガンイオンで付活され、光源から発せられた光で励起され赤色光を発する赤色蛍光体であれば特に制限はされない。色再現範囲の観点から、赤色蛍光体は、値幅が狭いシャープな発光スペクトルを示すものであることが好ましく、励起波長が４００ｎｍ〜６００ｎｍであり、極大発光波長が６１０ｎｍ〜６７０ｎｍであり、発光スペクトルの半値幅が３０ｎｍ以下であることがより好ましく、励起波長が４００ｎｍ〜４８５ｎｍであり、極大発光波長が６１０ｎｍ〜６６０ｎｍであり、発光スペクトルの半値幅が２０ｎｍ以下であることが更に好ましい。
【００５０】
このような４価のマンガンイオンで付活された赤色蛍光体として、Ｗｉｌｌｉａｍ  Ｍ．Ｙｅｎ  ａｎｄ  Ｍａｒｖｉｎ  Ｊ．Ｗｅｂｅｒ著  ＣＲＣ出版  「ＩＮＯＲＧＡＮＩＣ  ＰＨＯＳＰＨＯＲＳ」  ｐ．２１２（ＳＥＣＴＩＯＮ４：ＰＨＯＳＰＨＯＲ  ＤＡＴＡの４．１０  Ｍｉｓｃｅｌｌａｎｅｏｕｓ  Ｏｘｉｄｅｓ）に例示されている、Ｍｎ４＋付活Ｍｇフルオロジャーマネート蛍光体（２．５ＭｇＯ・ＭｇＦ２：Ｍｎ４＋）及びＪｏｕｒｎａｌ  ｏｆ  ｔｈｅ  Ｅｌｅｃｔｒｏｃｈｅｍｉｃａｌ  Ｓｏｃｉｅｔｙ：ＳＯＬＩＤ−ＳＴＡＴＥ  ＳＣＩＥＮＣＥ  ＡＮＤ  ＴＥＣＨＮＯＬＯＧＹ、Ｊｕｌｙ  １９７３、ｐ９４２に例示されている、Ｍ１２Ｍ２Ｆ６：Ｍｎ４＋（Ｍ１＝Ｌｉ,Ｎａ，Ｋ，Ｒｂ，Ｃｓ；Ｍ２＝Ｓｉ、Ｇｅ、Ｓｎ，Ｔｉ，Ｚｒ）蛍光体が好適な具体例として挙げられる。
【００５１】
Ｍｎ４＋付活Ｍｇフルオロジャーマネート蛍光体は、４００ｎｍ〜４８５ｎｍの青色の光により効率よく励起され、発光スペクトルの半値幅が１５ｎｍとシャープであり、かつ極大発光波長が６５８ｎｍであり、深い赤色を示す。また、Ｍ１２Ｍ２Ｆ６：Ｍｎ４＋蛍光体は、４００ｎｍ〜４８５ｎｍの青色の光により効率よく励起され、発光スペクトルの半値幅が８ｎｍとシャープであり、かつ発光ピークが６２９ｎｍであり、深い赤色を示す。このような赤色蛍光体は、液晶表示装置等において一般的に用いられている赤色カラーフィルターと波長整合性がよい。このため、発光装置を画像表示装置のバックライトとして用いた場合には、高効率に赤色光を出射することができる。なお、深い色とは、画像表示
装置を構成した際に、色再現域がより広くなる色という意味で使用されている。
【００５２】
発光装置に含まれる赤色蛍光体は、色再現範囲の観点から、Ｍｎ４＋付活Ｍｇフルオロジャーマネート蛍光体及びＭ１２Ｍ２Ｆ６：Ｍｎ４＋（Ｍ１＝Ｌｉ,Ｎａ，Ｋ，Ｒｂ，Ｃｓ；Ｍ２＝Ｓｉ、Ｇｅ、Ｓｎ，Ｔｉ，Ｚｒ）蛍光体からなる群より選択される少なくとも１種であることが好ましく、Ｍ１２Ｍ２Ｆ６：Ｍｎ４＋（Ｍ１＝Ｌｉ，Ｎａ，Ｋ，Ｒｂ，Ｃｓ；Ｍ２＝Ｓｉ，Ｇｅ，Ｓｎ，Ｔｉ，Ｚｒ）蛍光体であることがより好ましく、Ｍ１２Ｍ２Ｆ６：Ｍｎ４＋（Ｍ１＝Ｋ；Ｍ２＝Ｓｉ、Ｇｅ）蛍光体であることが更に好ましい。
また、赤色蛍光体におけるＭｎ４＋の付活量は、赤色蛍光体の組成式が
Ｍ１２Ｍ２１−ａＭｎ４＋ａＦ６
で示される場合、ａが０＜ａ＜０．２を満たすことが好ましい。
【００５３】
発光装置は、赤色蛍光体に加えて緑色蛍光体を含む。緑色蛍光体としては、光源から発せられた光で励起されて波長５１０ｎｍ〜５５０ｎｍの範囲に極大発光波長を有する緑色光を発する緑色蛍光体であることが好ましい。緑色蛍光体の極大発光波長が上記範囲であるとカラーフィルターとの波長整合性が良好になり、輝度が高くなると共に緑色の色再現範囲がより広くなる傾向がある。
【００５４】
また緑色蛍光体の発光スペクトルの全半値幅は、発光装置を画像表示装置に用いた際に画像表示装置がより深い緑色を示す観点から、１００ｎｍ以下であることが好ましく、７０ｎｍ以下であることがより好ましい。
【００５５】
このような緑色蛍光体としては、組成式がＭ１１８ＭｇＳｉ４Ｏ１６Ｘ１１：Ｅｕ（Ｍ１１＝Ｃａ，Ｓｒ，Ｂａ，Ｚｎ；Ｘ１１＝Ｆ，Ｃｌ，Ｂｒ，Ｉ）で示されるＥｕ付活クロロシリケート蛍光体、Ｍ１２２ＳｉＯ４：Ｅｕ（Ｍ１２＝Ｍｇ，Ｃａ，Ｓｒ，Ｂａ，Ｚｎ）で示されるＥｕ付活シリケート蛍光体、Ｓｉ６−ｚＡｌｚＯｚＮ８−ｚ：Ｅｕ（０＜ｚ<４．２）で示されるＥｕ付活βサイアロン蛍光体、Ｍ１３Ｇａ２Ｓ４：Ｅｕ（Ｍ１３＝Ｍｇ，Ｃａ，Ｓｒ，Ｂａ）で示されるＥｕ付活チオガレート蛍光体、（Ｙ，Ｌｕ）３Ａｌ５Ｏ１２：Ｃｅで示される希土類アルミン酸塩蛍光体等を挙げることができる。なかでも、緑色蛍光体は、色再現範囲の観点から、Ｅｕ付活クロロシリケート蛍光体、Ｅｕ付活シリケート蛍光体、Ｅｕ付活βサイアロン蛍光体、Ｅｕ付活チオガレート蛍光体及び希土類アルミン酸塩蛍光体からなる群より選択される少なくとも１種であることが好ましく、Ｅｕ付活βサイアロン蛍光体であることがより好ましい。
Ｅｕ付活βサイアロン蛍光体に関しては、国際公開第２００７／０６６７３３号パンフレットに示されるようなより発光スペクトルの半値幅が狭く、極大発光波長が短波長のものをより好適に用いることができる。
【００５６】
（第三の工程）
第三の工程では、発光装置候補を発光させてカラーフィルター候補を透過させた光のうち、青色画素を透過した４８５ｎｍ以下の光のエネルギー及び緑色画素を透過した４８５ｎｍ以下の光のエネルギーを測定する。
光のエネルギーは、縦軸にエネルギー密度、横軸に波長をとった発光スペクトルから算出される。具体的には、青色画素からの透過光の透過スペクトルにおいて、３８０ｎｍ〜４８５ｎｍの範囲でエネルギー密度を積分することで、青色画素を透過した４８５ｎｍ以下の光のエネルギーを算出する。緑色画素からの透過光の透過スペクトルにおいて、３８０ｎｍ〜４８５ｎｍの範囲でエネルギー密度を積分することで、緑色画素を透過した４８５ｎｍ以下の光のエネルギーを算出する。
【００５７】
図２に、発光装置からの発光スペクトルと、カラーフィルターの各画素の分光透過スペクトルを重ね合わせて示したスペクトル図の一例を示す。図２にはカラーフィルターの青色、緑色及び赤色の各画素の透過特性曲線を、それぞれ実線、破線及び一点破線で示してある。また、発光装置からの発光スペクトルを細線で示してある。図２から、カラーフィルターの各画素の透過特性曲線は互いに重なりあう波長領域を有していること分かる。また、発光装置の発光スペクトルは、実施例の発光装置３に対応するものであり、青色、緑色及び赤色の各波長領域に発光ピークをそれぞれ有していることが分かる。
図３は、カラーフィルターの青色画素からの透過光スペクトルの一例である。図３には、青色画素を透過した光のうち４８５ｎｍ以下の波長範囲の透過光スペクトルを示してある。青色画素を透過した４８５ｎｍ以下の光のエネルギーは、透過光スペクトルのエネルギー密度の積分値として算出される。図３に示される透過光スペクトルは、実施例の発光装置３に対応するものである。
図４は、カラーフィルターの緑色画素からの透過光スペクトルの一例である。図４には、緑色画素を透過した光のうち４８５ｎｍ以下の波長範囲の透過光スペクトルを示してある。緑色画素を透過した４８５ｎｍ以下の光のエネルギーは、透過光スペクトルのエネルギー密度の積分値として算出される。図４に示される透過光スペクトルは、実施例の発光装置３に対応するものである。
【００５８】
（第四の工程）
第四の工程では、青色画素を透過した４８５ｎｍ以下の光のエネルギーに対する緑色画素を透過した４８５ｎｍ以下の光のエネルギーの比率（％）が３．０％以下となるカラーフィルター候補及び発光装置候補の組合せを選択する。
第四の工程では、例えば、カラーフィルター候補と発光装置候補の特定の組合せについて、青色画素を透過した４８５ｎｍ以下の光のエネルギーに対する緑色画素を透過した４８５ｎｍ以下の光のエネルギーの比率を算出し、算出された比率が３．０％以下の場合に、当該カラーフィルター候補と発光装置候補との組合せを、本発明の選択方法で選択されるカラーフィルター及び発光装置の組合せとして選択すればよい。
【００５９】
本発明の選択方法によって選択されるカラーフィルター及び発光装置の組合せを用いて構成された画像表示装置においては、高い輝度及び広い色再現範囲の両方がバランスよく達成される。
【００６０】
＜画像表示装置用モジュール＞
画像表示装置用モジュールは、本発明の選択方法で選択されるカラーフィルター及び発光装置を含む。画像表示装置用モジュールに含まれるカラーフィルター及び発光装置を用いて画像表示装置（好ましくは、液晶表示装置）を構成することで、高い輝度と優れた色再現範囲とが両立される画像表示装置が得られる。
画像表示装置用モジュールは、発光装置をバックライトユニットの構成部材として含んでいてもよい。すなわち、画像表示装置用モジュールは、発光装置を含むバックライトユニットとカラーフィルターとを含むものであってもよい。ここで、バックライトユニットとは、反射シート、導光板、拡散シート、レンズシートなどの光学部材及び発光装置が組み合わされたものを言う。
【００６１】
このようなバックライトユニットとカラーフィルターに液晶等の光透過制御部材、発光装置の駆動部材等とを組み合わせることで、優れた画像表示特性を有する画像表示装置を構成することができる。
画像表装置用モジュールに含まれるカラーフィルター及び発光装置は、本発明の選択方法で選択された組合せであれば、特に制限はないが、カラーフィルターと発光装置は以下の態様であることが好ましい。
【００６２】
カラーフィルターは、少なくとも青色画素と緑色画素を含むが、赤色画素を更に含むことが好ましい。カラーフィルターは、画像表示装置を構成した際の輝度と色再現域の観点から、以下の態様のいずれかであることが好ましい。
（１）緑色画素が、有機顔料としてＣ．Ｉ．ピグメントナンバーＰＧ３６及びＣ．Ｉ．ピグメントナンバーＰＹ１５０を含み、緑色画素に含まれる有機顔料の総質量中のＣ．Ｉ．ピグメントナンバーＰＧ３６の含有率が２０質量％以上７５質量％以下であり、
青色画素が、有機顔料としてＣ．Ｉ．ピグメントナンバーＰＢ１５：６及びＣ．Ｉ．ピグメントナンバーＰＶ２３を含み、青色画素に含まれる有機顔料の総質量中のＣ．Ｉ．ピグメントナンバーＰＶ２３の含有率が１質量％以上２５質量％以下であるカラーフィルター。
（２）緑色画素が、有機顔料としてＣ．Ｉ．ピグメントナンバーＰＧ３６及びＣ．Ｉ．ピグメントナンバーＰＹ１３８を含み、緑色画素に含まれる有機顔料の総質量中のＣ．Ｉ．ピグメントナンバーＰＧ３６の含有率が２０質量％以上７０質量％以下であり、
青色画素が、有機顔料としてＣ．Ｉ．ピグメントナンバーＰＢ１５：６及びＣ．Ｉ．ピグメントナンバーＰＶ２３を含み、青色画素に含まれる有機顔料の総質量中のＣ．Ｉ．ピグメントナンバーＰＶ２３の含有率が１質量％以上２５質量％以下であるカラーフィルター。
（３）緑色画素が、有機顔料としてＣ．Ｉ．ピグメントナンバーＰＧ３６及びＣ．Ｉ．ピグメントナンバーＰＹ１５０を含み、緑色画素に含まれる有機顔料の総質量中のＣ．Ｉ．ピグメントナンバーＰＧ３６の含有率が２０質量％以上７５質量％以下であり、
青色画素が、有機顔料としてＣ．Ｉ．ピグメントナンバーＰＢ１５：６及びＣ．Ｉ．ピグメントナンバーＰＶ２３を含み、青色画素に含まれる有機顔料の総質量中のＣ．Ｉ．ピグメントナンバーＰＶ２３の含有率が１質量％以上２５質量％以下であり、
赤色画素が、有機顔料としてＣ．Ｉ．ピグメントナンバーＰＲ２５４及びＣ．Ｉ．ピグメントナンバーＰＲ１７７を含み、赤色画素に含まれる有機顔料の総質量中のＣ．Ｉ．ピグメントナンバーＰＲ１７７の含有率が２質量％以上３０質量％以下であるカラーフィルター。
（４）緑色画素が、有機顔料としてＣ．Ｉ．ピグメントナンバーＰＧ３６及びＣ．Ｉ．ピグメントナンバーＰＹ１３８を含み、緑色画素に含まれる有機顔料の総質量中のＣ．Ｉ．ピグメントナンバーＰＧ３６の含有率が２０質量％以上７０質量％以下であり、
青色画素が、有機顔料としてＣ．Ｉ．ピグメントナンバーＰＢ１５：６及びＣ．Ｉ．ピグメントナンバーＰＶ２３を含み、青色画素に含まれる有機顔料の総質量中のＣ．Ｉ．ピグメントナンバーＰＶ２３の含有率が１質量％以上２５質量％以下であり、
赤色画素が、有機顔料としてＣ．Ｉ．ピグメントナンバーＰＲ２５４及びＣ．Ｉ．ピグメントナンバーＰＲ１７７を含み、赤色画素に含まれる有機顔料の総質量中のＣ．Ｉ．ピグメントナンバーＰＲ１７７の含有率が２質量％以上３０質量％以下であるカラーフィルター。
【００６３】
発光装置は、光源と、赤色蛍光体と、緑色蛍光体とを含むが、画像表示装置を構成した際の輝度と色再現性の観点から、以下の態様のいずれかであることが好ましい。
（１）光源が、半導体発光素子であり、赤色蛍光体が、励起波長が４００ｎｍ〜６００ｎｍであり、極大発光波長が６１０ｎｍ〜６７０ｎｍであり、発光スペクトルの半値幅が３０ｎｍ以下である発光装置。
（２）光源が、極大発光波長が４６０ｎｍ以下の半導体発光素子であり、赤色蛍光体が、励起波長が４００ｎｍ〜６００ｎｍであり、極大発光波長が６１０ｎｍ〜６７０ｎｍであり、発光スペクトルの半値幅が３０ｎｍ以下である発光装置。
（３）光源が、極大発光波長が４６０ｎｍ以下の半導体発光素子であり、赤色蛍光体が、励起波長が４００ｎｍ〜６００ｎｍであり、極大発光波長が６１０ｎｍ〜６７０ｎｍであり、発光スペクトルの半値幅が３０ｎｍ以下であり、緑色蛍光体が、ユーロピウム（Ｅｕ）付活蛍光体である発光装置。
（４）光源が、極大発光波長が４６０ｎｍ以下の半導体発光素子であり、赤色蛍光体が、Ｍｎ４＋付活Ｍｇフルオロジャーマネート蛍光体及びＭ１２Ｍ２Ｆ６：Ｍｎ４＋（Ｍ１＝Ｌｉ，Ｎａ，Ｋ，Ｒｂ，Ｃｓ；Ｍ２＝Ｓｉ，Ｇｅ，Ｓｎ，Ｔｉ，Ｚｒ）蛍光体からなる群より選択される少なくとも１種のフッ化物蛍光体であり、緑色蛍光体が、Ｅｕ付活クロロシリケート蛍光体、Ｅｕ付活シリケート蛍光体、Ｅｕ付活βサイアロン蛍光体及びＥｕ付活チオガレート蛍光体からなる群より選択される少なくとも１種の付活蛍光体である発光装置。
（５）光源が、極大発光波長が４６０ｎｍ以下の半導体発光素子であり、赤色蛍光体が、Ｍ１２Ｍ２Ｆ６：Ｍｎ４＋（Ｍ１＝Ｋ；Ｍ２＝Ｓｉ，Ｇｅ）蛍光体であり、緑色蛍光体が、Ｍ１２２ＳｉＯ４：Ｅｕ（Ｍ１２＝Ｃａ，Ｓｒ，Ｂａ，Ｚｎ）で示されるＥｕ付活βサイアロン蛍光体である発光装置。
【００６４】
＜画像表示装置＞
画像表示装置は、前記選択方法で選択されるカラーフィルター及び発光装置を備える。画像表示装置は、前記カラーフィルター及び発光装置を備えるものであれば特に制限されず、従来公知の画像表示装置からその構成を適宜選択することができる。画像表示装置は例えば、前記カラーフィルター及び発光装置に加えて、光透過制御部材（例えば、液晶）等を備えて構成される。
画像表示装置は、前記選択方法で選択されるカラーフィルター及び発光装置を備えることで、輝度と色再現性とが高いレベルで両立される。
【００６５】
＜画像表示装置の製造方法＞
本発明の画像表示装置の製造方法は、少なくとも青色画素及び緑色画素を含むカラーフィルターを準備する工程と、光源、緑色蛍光体及び４価のマンガンイオンで付活された赤色蛍光体を含み、該カラーフィルターの青色画素を透過させた４８５ｎｍ以下の光のエネルギーに対する緑色画素を透過させた４８５ｎｍ以下の光のエネルギーの比率（％）が３．０％以下となる光を発する発光装置を準備する工程と、該カラーフィルター、該発光装置及び光透過制御部材を用いて画像表示装置を構成する工程と、を含む。
上記特定の要件を満たすカラーフィルターと発光装置を用いて製造される画像表示装置は、輝度と色再現範囲に優れる。
【００６６】
画像表示装置の製造方法におけるカラーフィルターを準備する工程の詳細は、前記選択方法における第一の工程と同様であり、好ましい態様も同様である。
画像表示装置の製造方法における発光装置を準備する工程の詳細は、前記選択方法における第二の工程、第三の工程及び第四の工程について説明した事項と同様であり、好ましい態様も同様である。
画像表示装置を構成する工程は、カラーフィルター、発光装置及び光透過制御部材を用いて画像表示装置を製造するのに通常用いられる方法から適宜選択することができる。光透過制御部材としては、例えば、液晶を含み電場によって光透過性を制御可能な部材を用いることができる。
【実施例】
【００６７】
以下、本発明を実施例により具体的に説明するが、本発明はこれらの実施例に限定されるものではない。
【００６８】
（製造例１）  カラーフィルターの作製
特開２００９−７６８３６号公報の記載に準じて、赤色画素（Ｒ）、緑色画素（Ｇ）及び青色画素（Ｂ）が下記表１に示す顔料組成を有するカラーフィルター（ＣＦ１）を作製した。なお、表中の「−」は未配合であることを示す。
【００６９】
【表１】
2015052648.tif 000003
【００７０】
（製造例２）  発光装置の作製
発光素子として、極大発光波長（発光ピーク波長）が４４７ｎｍである半導体発光素子（以下「発光素子１」ともいう）と４６３ｎｍである半導体発光素子（以下「発光素子２」ともいう）とを準備した。赤色蛍光体として組成式がＫ２ＳｉＦ６：Ｍｎ４＋であるフッ化物蛍光体（以下、「ＫＳＦ」ともいう）を準備した。緑色蛍光体として組成式がＭ１１８ＭｇＳｉ４ＯＸ１１：Ｅｕ（Ｍ１１＝Ｃａ，Ｓｒ，Ｂａ，Ｚｎ；Ｘ１１＝Ｆ，Ｃｌ，Ｂｒ，Ｉ）で示されるクロロシリケート蛍光体、Ｍ１２２ＳｉＯ４：Ｅｕ（Ｍ１２＝Ｍｇ，Ｃａ，Ｓｒ，Ｂａ，Ｚｎ）で示されるシリケート蛍光体、Ｓｉ６−ｚＡｌｚＯｚＮ８−ｚ：Ｅｕ（０＜ｚ<４．２）で示されるβサイアロン蛍光体、Ｍ１３Ｇａ２Ｓ４：Ｅｕ（Ｍ１３＝Ｍｇ，Ｃａ，Ｓｒ，Ｂａ）で示されるチオガレート蛍光体を準備した。
準備した発光素子、赤色蛍光体及び緑色蛍光体を下記表２に示すように組み合わせて、常法により発光装置１〜６を作製した。
【００７１】
【表２】
2015052648.tif 000004
【００７２】
（実施例１）
上記で得られたカラーフィルター（ＣＦ）及び発光装置を下記表３のように組み合わせて画像表示装置用モジュールを作製した。
発光装置を発光させてカラーフィルターを透過させた光のうち、青色画素を透過した４８５ｎｍ以下の光のエネルギー及び緑色画素を透過した４８５ｎｍ以下の光のエネルギーをそれぞれ測定した。次いで、青色画素を透過した４８５ｎｍ以下の光のエネルギーに対する緑色画素を透過した４８５ｎｍ以下の光のエネルギーの比率（％）を算出した。結果を下記表３に示す。
表３の結果に基いて、本発明の選択方法により、画像表示装置用モジュール１〜４が選択された。
【００７３】
【表３】
2015052648.tif 000005
【００７４】
（評価）
実施例１のカラーフィルター及び発光装置の組合せを用いて、常法により液晶表示装置を作製した。得られた液晶表示装置について、以下のようにして表示特性を評価した。
赤表示（Ｒ）、緑表示（Ｇ）、青表示（Ｂ）及び白表示（Ｗ）におけるＣＩＥ１９３１色度図上の色度座標（ｘ、ｙ）及び白表示における刺激値Ｙをそれぞれ測定した。また、得られた色度座標を用いて、ＮＴＳＣ比、ＡｄｏｂｅＲＧＢ比及びｓＲＧＢ比の色再現範囲を算出した。結果を下記表４に示す。
【００７５】
【表４】
2015052648.tif 000006
【００７６】
以上から、本発明のカラーフィルター及び発光装置の組合せの選択方法によって選択されるカラーフィルター及び発光装置の組合せを用いて画像表示装置を構成することで、高い輝度と優れた色再現範囲の両立が達成できることが分かる。
【産業上の利用可能性】
【００７７】
本発明の選択方法によって選択されるカラーフィルター及び発光装置の組合せは、画像表示装置を構成した場合に、高い輝度と優れた色再現範囲を達成することができる。
【符号の説明】
【００７８】
１０：発光素子、５０：封止部材、７０：フッ化物蛍光体、１００：発光装置
【図１】
2015052648.tif 000007
【図２】
2015052648.tif 000008
【図３】
2015052648.tif 000009
【図４】
2015052648.tif 000010